(57)【要約】【課題】ＤＶＤ等の透明基板の裏面へのラベル等の画像印刷をインクジェットを用いて効率的に生産性良く行い、つや出し加工の効果により商品価値の高いＤＶＤ等の光情報記録媒体を得る。【解決手段】透明なディスク状基板２の裏面に受理層１１を印刷し、該受理層１１にインクジェットにより所定の画像を、当該透明なディスク状基板２の表面よりみて正しい向きの画像となるように印刷し、前記インクジェットによる画像上に白インク層１３を印刷した後、情報の記録又は再生のための光ビーム入射面を有する別のディスク状基板１に貼り合わせる。【選択図】        図１
2004338300.tif 000002
【特許請求の範囲】
【請求項１】
透明基板の裏面に受理層を印刷し、該受理層にインクジェットにより所定の画像を、当該透明基板の表面よりみて正しい向きの画像となるように印刷し、前記インクジェットによる画像上に白インクを印刷することを特徴とする透明基板への画像形成方法。
【請求項２】
前記透明基板がディスク状であり、一方の面が情報の記録又は再生のための光ビーム入射面となった別のディスク状基板の他方の面に、前記白インク印刷後の裏面を接着一体化する請求項１記載の透明基板への画像形成方法。
【請求項３】
透明基板の裏面に受理層を印刷し、該受理層にインクジェットにより所定の画像を、当該透明基板の表面よりみて正しい向きの画像となるように印刷し、前記インクジェットによる画像上に白インクを印刷した第１のディスク状基板と、
一方の面が情報の記録又は再生のための光ビーム入射面となった第２のディスク状基板とを有し、
前記第１のディスク状基板の前記白インク印刷した裏面を、前記第２のディスク状基板の他方の面に接着一体化したことを特徴とする光情報記録媒体。
【発明の詳細な説明】
【０００１】
【発明の属する技術分野】
本発明は、樹脂、ガラス等の透明基板への画像形成方法及び光情報記録媒体に係り、とくにインクジェットによる透明基板裏面への画像形成方法及び当該方法を用いて作製される光情報記録媒体に関する。
【０００２】
【従来の技術】
２枚のディスク状基板を貼り合わせた、貼り合わせ型の光情報記録媒体としてＤＶＤ（Ｄｉｇｉｔａｌ  Ｖｅｒｓａｔｉｌｅ  Ｄｉｓｋ）が知られており、記録密度をＣＤの数倍以上に高めたものである。このＤＶＤは厚さ０．６ｍｍのポリカーボネート等のディスク状基板を貼り合わせた構造となっており、ＤＶＤ−ＲＯＭ，ＤＶＤ−Ｒ，ＤＶＤ−ＲＷ，ＤＶＤ−ＲＡＭ等色々な種類がある。
【０００３】
これらのＤＶＤ媒体の中で、片面１層、片面２層等のデータの再生、記録が片面からしか行われないＤＶＤ媒体（以下、片面再生ＤＶＤという）では、記録側と反対側のディスク状基板にラベル印刷を施すことができる。
【０００４】
図３はラベル印刷を施した片面再生ＤＶＤの従来例であり、厚さ０．６ｍｍ、直径１２０ｍｍのポリカーボネート等のプラスチックのディスク状基板１，２を接着剤で貼り合わせた構造であり、中心には直径１５ｍｍのセンター穴３が形成されている。一方のディスク状基板１の裏面には記録層（図示せず）が形成されており、その表側がデータの再生、記録を行う面１ａとなる。他方のディスク状基板２は透明なダミー基板であり、図３の例では、そのダミー基板としてのディスク状基板２の表面にラベル４が印刷されている。このラベル４の印刷は従来オフセット印刷で行われている（白印刷層４ａとその上層のオフセット印刷による画像層４ｂからなる。）。
【０００５】
図３ではダミー基板としてのディスク状基板２の表側の面にラベル４を印刷したが、ディスク状基板２が透明板であることから、その裏面にラベル印刷を施すことも考えられる。この場合、オフセット印刷では、ディスク状基板２の裏面に所定のラベル画像を印刷後、白印刷を行う。
【０００６】
【発明が解決しようとする課題】
ダミー基板としてのディスク状基板の裏面にオフセット印刷でラベル印刷する場合、以下の問題点がある。
▲１▼色調整に時間がかかる。
▲２▼ダミーのディスク状基板に印刷し、色調が良好となった時点で本番ディスク状基板に印刷することになり、ディスクに無駄が生じる。
▲３▼印刷開始後の印刷検査が難しい。白印刷前は色調が違うので検査できない。
【０００７】
本発明の第１の目的は、上記の点に鑑み、ＤＶＤ等の透明基板の裏面へのラベル等の画像印刷をインクジェットを用いて効率的に、生産性良く行うことが可能な透明基板への画像形成方法を提供することにある。
【０００８】
本発明の第２の目的は、透明基板の裏面にインクジェットでラベル等の画像印刷を施すことによって、つや出し加工の効果により商品価値の高いＤＶＤ等の光情報記録媒体を提供することにある。
【０００９】
本発明のその他の目的や新規な特徴は後述の実施の形態において明らかにする。
【００１０】
【課題を解決するための手段】
上記目的を達成するために、本願請求項１の発明に係る透明基板への画像形成方法は、透明基板の裏面に受理層を印刷し、該受理層にインクジェットにより所定の画像を、当該透明基板の表面よりみて正しい向きの画像となるように印刷し、前記インクジェットによる画像上に白インクを印刷することを特徴としている。
【００１１】
本願請求項２の発明に係る透明基板への画像形成方法は、請求項１において、前記透明基板がディスク状であり、一方の面が情報の記録又は再生のための光ビーム入射面となった別のディスク状基板の他方の面に、前記白インク印刷後の裏面を接着一体化することを特徴としている。
【００１２】
本願請求項３の発明に係る光情報記録媒体は、透明基板の裏面に受理層を印刷し、該受理層にインクジェットにより所定の画像を、当該透明基板の表面よりみて正しい向きの画像となるように印刷し、前記インクジェットによる画像上に白インクを印刷した第１のディスク状基板と、
一方の面が情報の記録又は再生のための光ビーム入射面となった第２のディスク状基板とを有し、
前記第１のディスク状基板の前記白インク印刷した裏面を、前記第２のディスク状基板の他方の面に接着一体化したことを特徴としている。
【００１３】
【発明の実施の形態】
以下、本発明に係る透明基板への画像形成方法及び光情報記録媒体の実施の形態を図面に従って説明する。
【００１４】
図１及び図２は本発明の実施の形態であって、片面再生ＤＶＤのラベル印刷の場合を例にとって説明する。これらの図において、ディスク状基板１，２は厚さ０．６ｍｍ、直径１２０ｍｍのポリカーボネート等のプラスチックからなり、一方のディスク状基板１の裏面には記録層（図示せず）が形成されており、その表側がデータの再生、記録を行う面１ａとなる。他方のディスク状基板２は透明なダミー基板であり、そのダミー基板としてのディスク状基板２の裏面にラベル１０がインクジェットにより印刷されている。
【００１５】
すなわち、図１のディスク状基板１，２の分離状態（貼り合わせ前の状態）にてディスク状基板２の裏面に受理層（受領層）１１を塗布（印刷）する。ここで、受理層はインクジェットプリンタで使用するインク（水性染料インク、水性顔料インク、油性インク等）を正確に受理するための層である。但し、溶剤タイプインク、ＵＶインクのように受理層を必要としないインクの場合は受理層塗布（印刷）は不要である。それから、インクジェットプリンタにより受理層上にインクジェットによる画像（インクジェット層）１２の印刷を行う。インクジェット画像１２は例えばＤＶＤであれば記録情報等を表示するラベル画像であり、透明なディスク状基板２の表側よりみて正しい向きの画像となるように印刷する。さらに、その上に重ねて白インク印刷により白インク層１３を印刷する。
【００１６】
前記ディスク状基板２の裏面へのラベル印刷後、図２のように接着剤２０でディスク状基板１，２を貼り合わせて一体化することで、ラベル１０を印刷した、片面再生ＤＶＤが完成する。
【００１７】
この実施の形態によれば、インクジェットプリンタにより透明なディスク状基板２の裏面にラベル画像を印刷（リバースプリント）するため、次の効果を得ることができる。
▲１▼印刷後のインクの厚さが薄いため、貼り合わせ精度が正確である。
▲２▼インクの厚みが薄く、ディスク状基板１，２を貼り合わせたＤＶＤの反りが少ない。
▲３▼インクジェットプリンタによる印刷は、印刷品質が最初の１枚から良好であり、製品として使用できるため、オフセット印刷に比べ無駄が無く生産性が格段に向上する。
▲４▼リバースプリントのよるラベル印刷であり、０．６ｍｍの透明層によるつや出し加工と等価になり、ＤＶＤの商品価値は上がる。
【００１８】
なお、上記実施の形態ではＤＶＤの場合を例示したが、透明ガラス、透明プラスチック等の透明基板のリバースプリントに本発明は適用可能であることは明らかである。
【００１９】
以上本発明の実施の形態について説明してきたが、本発明はこれに限定されることなく請求項の記載の範囲内において各種の変形、変更が可能なことは当業者には自明であろう。
【００２０】
【発明の効果】
以上説明したように、本発明によれば、ＤＶＤ等の透明基板の裏面へのラベル等の画像印刷をインクジェットを用いて効率的に、生産性良く行うことが可能である。また、これにより、ラベル等の画像のつや出し加工の効果によって商品価値の高いＤＶＤ等の光情報記録媒体を提供することが可能となる。
【図面の簡単な説明】
【図１】本発明の実施の形態であって、片面再生ＤＶＤにおける２枚のディスク状基板を貼り合わせる前の状態を示す分解断面図である。
【図２】本発明の実施の形態であって、２枚のディスク状基板を貼り合わせた片面ＤＶＤの断面図である。
【図３】表側にラベル印刷を施した片面印刷ＤＶＤの断面図である。
【符号の説明】
１，２  ディスク状基板
３  センター穴
４，１０  ラベル
１１  受理層
１２  画像
１３  白インク層
２０  接着剤
【図１】
2004338300.tif 000003
【図２】
2004338300.tif 000004
【図３】
2004338300.tif 000005